(57)【特許請求の範囲】
【請求項１】
複数の障子と、
上方に突出し前記障子が支持されるとともに案内されるレールが見込み方向に並べて複数配置された合成樹脂製の下枠と、を有し、
複数の前記レールのうちの見込み方向に隣り合う２つの前記レール間に、各々の前記レールと対向する２つの下枠突部対向壁を備えた難燃性または不燃性の下枠突部間補強材が前記下枠の長手方向に沿って設けられており、
前記下枠突部間補強材には、前記レールと前記下枠突部対向壁との間に、加熱されて発泡する加熱発泡材が各々設けられていることを特徴とする建具。
【請求項２】
請求項１に記載の建具であって、
前記下枠を有する枠体により形成される開口を、前記障子が閉塞した状態で、各々の前記レールに支持された前記障子が対向する召し合せ部の下に風止部材が設けられており、
前記下枠突部間補強材は、前記レールに沿う方向において前記風止部材を挟んでその両側にそれぞれ設けられていることを特徴とする建具。
【請求項３】
合成樹脂製の下枠と、前記下枠上に設けられる障子とを有する建具であって、
前記下枠は、上方に突出し前記障子が長手方向に沿って案内されるレール、および、上方に突出し長手方向に沿って連なり前記レールと見込み方向に並べて設けられた上方突枠部を有し、
前記レールと前記上方突枠部との間に、前記レールおよび前記上方突枠部の各々と対向する２つの下枠突部対向壁を備えた難燃性または不燃性の下枠突部間補強材が前記下枠の長手方向に沿って設けられており、
前記下枠突部間補強材には、前記レールおよび前記上方突枠部と前記下枠突部対向壁との間に、加熱されて発泡する加熱発泡材が各々設けられていることを特徴とする建具。
【請求項４】
請求項３に記載の建具であって、
前記下枠を有する枠体により形成される開口を、前記障子が閉塞した状態で、前記障子の戸尻側の部位の下に風止部材が設けられており、
前記下枠突部間補強材は、少なくとも前記風止部材より戸先側に設けられていることを特徴とする建具。
【請求項５】
請求項１または請求項３に記載の建具であって、
前記加熱発泡材は、前記下枠を有する枠体により形成される開口を、前記障子が閉塞した状態で、前記レールにおいて前記障子の下に位置する部位と対向する位置に設けられていることを特徴とする建具。
【請求項６】
請求項１乃至請求項５のいずれかに記載の建具であって、
前記下枠突部間補強材は、２つの前記下枠突部対向壁の上端部を繋ぐ上板部を有し、
前記上板部は、前記障子が前記レールに支持された状態で、前記障子の下方に間隔を隔てて設けられていることを特徴とする建具。
【請求項７】
請求項１乃至請求項６のいずれかに記載の建具であって、
前記下枠には、前記レールより下に長手方向に沿って下枠中空部が設けられており、
前記下枠中空部には、難燃性または不燃性の下枠補強材が設けられており、
前記下枠突部間補強材は、前記下枠補強材と連結されていることを特徴とする建具。
【発明の詳細な説明】
【技術分野】
【０００１】
本発明は、合成樹脂製の下枠と、前記下枠上に設けられる障子とを有する建具に関する。
【背景技術】
【０００２】
合成樹脂製の下枠と、前記下枠上に設けられる障子とを有する建具としては、例えば、引違い窓用の合成樹脂製の窓枠と障子とを備えた建具が知られている（例えば、特許文献１参照）。合成樹脂製の窓枠は、断熱性および強度向上のために、障子を支持するレールも含めて中空構造をなしている。合成樹脂製の建具は、火炎に晒されると溶融してしまうため、例えば障子を支持するレール等の部位が溶融して、下枠を見込み方向に火炎が貫通しないように、建具のなかには、レールの中空部内に金属製の補強材が備えられているものがある。
【先行技術文献】
【特許文献】
【０００３】
【特許文献１】特開２００５−３５１００９号公報
【発明の概要】
【発明が解決しようとする課題】
【０００４】
建具は、意匠性が考慮され、窓枠や框材をより小さくすることが求められている。このため、窓枠が有するレールのサイズも小さい方が望ましい。しかしながら、上述した建具のように、レールの中空部内に金属製の補強材を設ける場合には、補強材の断面を小さくし、また、レールの全長に亘るように細長く形成しなければならない。さらに、窓枠の製造時にはレールの小さな中空部に細長い補強材を挿入しなければならず、作業が煩雑であるという課題がある。
【０００５】
本発明は、かかる課題に鑑みてなされたものであり、その目的とするところは、火炎に晒されても下枠において火炎が貫通しにくく製造性に優れた枠体を有する建具を提供することにある。
【課題を解決するための手段】
【０００６】
かかる目的を達成するために本発明の建具は、複数の障子と、上方に突出し前記障子が支持されるとともに案内されるレールが見込み方向に並べて複数配置された合成樹脂製の下枠と、を有し、複数の前記レールのうちの見込み方向に隣り合う２つの前記レール間に、各々の前記レールと対向する２つの下枠突部対向壁を備えた難燃性または不燃性の下枠突部間補強材が前記下枠の長手方向に沿って設けられており、前記下枠突部間補強材には、前記レールと前記下枠突部対向壁との間に、加熱されて発泡する加熱発泡材が各々設けられていることを特徴とする建具である。
【０００７】
このような建具によれば、見込み方向に隣り合う２つのレール間に、当該レールに沿って難燃性または不燃性の下枠突部間補強材が設けられているので、例えば、レール内に補強材を設けなくとも、火炎に晒された際に下枠において火炎が貫通することを抑制することが可能である。特に、下枠突部間補強材は、２つのレールの各々と対向する２つの下枠突部対向壁を備えているので、見込み方向において下枠のいずれの側から火炎に晒されたとしても、２つの下枠突部対向壁により火炎と反対側のレールが火炎に晒されることを防止することが可能である。また、下枠突部間補強材は、隣り合う２つのレール間に設けられているので、レール内に設けるような煩雑な作業をすることなく、上方からレール間に載置するだけで備えることが可能である。このため、火炎に晒されても下枠において火炎が貫通しにくく製造性に優れた枠体を有する建具を提供することが可能である。
【０００８】
また、下枠突部間補強材には、レールとの間に加熱発泡材が設けられているので、加熱された際に加熱発泡材が発泡することにより、レールおよび下枠突部間補強材の溶融を抑制することが可能である。
【０００９】
かかる建具であって、前記下枠を有する枠体により形成される開口を、前記障子が閉塞した状態で、各々の前記レールに支持された前記障子が対向する召し合せ部の下に風止部材が設けられており、前記下枠突部間補強材は、前記レールに沿う方向において前記風止部材を挟んでその両側にそれぞれ設けられていることが望ましい。
このような建具によれば、下枠突部間補強材は、レールに沿う方向において風止部材を挟んでその両側にそれぞれ設けられているので、見込み方向に隣り合う２つの障子が対向する召し合せ部の下における気密性を確保しつつ、レールの溶融を抑制することが可能である。
【００１０】
また、合成樹脂製の下枠と、前記下枠上に設けられる障子とを有する建具であって、前記下枠は、上方に突出し前記障子が長手方向に沿って案内されるレール、および、上方に突出し長手方向に沿って連なり前記レールと見込み方向に並べて設けられた上方突枠部を有し、前記レールと前記上方突枠部との間に、前記レールおよび前記上方突枠部の各々と対向する２つの下枠突部対向壁を備えた難燃性または不燃性の下枠突部間補強材が前記下枠の長手方向に沿って設けられており、前記下枠突部間補強材には、前記レールおよび前記上方突枠部と前記下枠突部対向壁との間に、加熱されて発泡する加熱発泡材が各々設けられていることを特徴とする建具である。
【００１１】
このような建具によれば、見込み方向に隣り合うレールと上方突枠部との間に、長手方向に沿って難燃性または不燃性の下枠突部間補強材が設けられているので、例えば、レール内に補強材を設けなくとも、火炎に晒された際に下枠において火炎が貫通することを抑制することが可能である。特に、下枠突部間補強材は、レールおよび上方突枠部の各々と対向する２つの下枠突部対向壁を備えているので、見込み方向において下枠のいずれの側から火炎に晒されたとしても、２つの下枠突部対向壁により火炎と反対側のレールおよび上方突枠部が火炎に晒されることを防止することが可能である。また、下枠突部間補強材は、隣り合うレールと上方突枠部との間に設けられているので、レール内に設けるような煩雑な作業をすることなく、上方からレールと上方突枠部との間に載置するだけで備えることが可能である。このため、火炎に晒されても下枠において火炎が貫通しにくく製造性に優れた枠体を有する建具を提供することが可能である。
【００１２】
また、下枠突部間補強材には、レールおよび上方突枠部との間に加熱発泡材が設けられているので、加熱された際に加熱発泡材が発泡することにより、レール、上方突枠部および下枠突部間補強材の溶融を抑制することが可能である。
【００１３】
かかる建具であって、前記下枠を有する枠体により形成される開口を、前記障子が閉塞した状態で、前記障子の戸尻側の部位の下に風止部材が設けられており、前記下枠突部間補強材は、少なくとも前記風止部材より戸先側に設けられていることが望ましい。
このような建具によれば、下枠突部間補強材は、少なくとも前記風止部材より戸先側に設けられているので、障子の戸尻側の部位の下における気密性を確保しつつ、少なくとも障子の下に位置するレールの溶融を抑制することが可能である。
【００１４】
かかる建具であって、前記加熱発泡材は、前記下枠を有する枠体により形成される開口を、前記障子が閉塞した状態で、前記レールにおいて前記障子の下に位置する部位と対向する位置に設けられていることが望ましい。
このような建具によれば、レールにおいて障子の下に位置する部位と対向する位置に加熱発泡材が設けられているので、レールの全長に亘って加熱発泡材を設ける場合より、加熱発泡材の量を少なくすることが可能である。また、レールにおいて障子の下に位置する部位と対向する位置に加熱発泡材が設けられているので、加熱された際には少なくとも障子とレールとの間にて加熱発泡材が発泡して、レールおよび下枠突部間補強材の溶融を抑制する。このため、効率よく加熱発泡材を使用してレールおよび下枠突部間補強材の溶融を抑制することが可能である。
【００１５】
かかる建具であって、前記下枠突部間補強材は、２つの前記下枠突部対向壁の上端部を繋ぐ上板部を有し、前記上板部は、前記障子が前記レールに支持された状態で、前記障子の下方に間隔を隔てて設けられていることが望ましい。
このような建具によれば、下枠突部間補強材が有する、２つの下枠突部対向壁の上端部を繋ぐ上板部は、障子がレールに支持された状態で障子の下方に設けられているので、たとえレールが溶融して障子が降下したとしても、下枠突部間補強材の上板部に障子が載置される。このため、障子が上板部に載置された後には、障子の更なる降下を防止することが可能である。また、上板部は、障子がレールに支持された状態で、障子の下方に間隔を隔てて設けられているので、レールに支持された状態では障子は下枠突部間補強材の上板部と干渉することなく、滑らかに移動することが可能である。
【００１６】
かかる建具であって、前記下枠には、前記レールより下に長手方向に沿って下枠中空部が設けられており、前記下枠中空部には、難燃性または不燃性の下枠補強材が設けられており、前記下枠突部間補強材は、前記下枠補強材と連結されていることが望ましい。
このような建具によれば、たとえ下枠が溶融されたとしても下枠突部間補強材は下枠補強材に支持されるので、下枠突部間補強材が脱落することはなく、また下枠突部間補強材を下枠上に配置させておくことが可能である。
【発明の効果】
【００１７】
本発明によれば、火炎に晒されても下枠において火炎が貫通しにくく製造性に優れた枠体を有する建具を提供することが可能である。
【図面の簡単な説明】
【００１８】
【図１】本実施形態に係る建具の横断面図である。
【図２】図１におけるＡ−Ａ断面図である。
【図３】図１におけるＢ−Ｂ断面図である。
【図４】建具の下枠を上方から見た図である。
【図５】レール間補強材の縦断面図である。
【図６】レール間補強材においてレールと対向する部位の全域に熱膨張性黒鉛が設けられている例を示す断面図である。
【図７】片引き窓用の建具における障子側の縦断面図である。
【図８】片引き窓用の建具におけるＦＩＸ窓側の縦断面図である。
【発明を実施するための形態】
【００１９】
以下、本発明の一実施形態に係る建具について図面を参照して説明する。
本実施形態の建具は、図１に示すように、内障子３および外障子４を備えた引違い窓用の建具１である。
【００２０】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が取り付けられた状態で上下方向、左右方向、見込み方向等となる方向にて方向を特定して説明する。
【００２１】
本実施形態の建具１は、矩形状に枠組みされた合成樹脂製の枠体１０と、枠体１０に沿って移動可能に設けられ、枠体１０により形成され室内と室外とを連通する開口１０ａを閉塞可能な内障子３および外障子４と、を備えている。
【００２２】
枠体１０を構成し、障子３、４の下側に位置する下枠１１には、図２〜図３に示すように、ほぼ水平面をなす下枠平面部１１１と、下枠平面部１１１から上方に突出し長手方向に沿って連なり障子３、４が支持されるとともに案内されるレール１１２、１１３が設けられている。下枠１１に設けられた２本のレール１１２、１１３は、見込み方向において互いに間隔を隔てるとともに下枠１１の長手方向に沿って設けられている。
【００２３】
下枠１１のレール１１２、１１３は、長手方向に沿うレール中空部を有している。レール１１２、１１３の上端には、障子３、４に設けられた合成樹脂製の戸車２９が載置されて案内されつつ転動するレール金具１２がレール１１２、１１３の全長に亘って嵌合されている。
【００２４】
下枠１１の下枠平面部１１１の下側には、長手方向に沿うとともに貫通する３つの下枠中空部１１ａ、１１ｂ、１１ｃが見込み方向に並べて設けられている。３つの下枠中空部１１ａ、１１ｂ、１１ｃは、外障子４を案内する外レール１１３より室外側に位置する外下枠中空部１１ａと、外レール１１３の下から内障子３を案内する内レール１１２の下に至る中下枠中空部１１ｂと、内レール１１２の下から室内側に位置し躯体２上に位置する内下枠中空部１１ｃと、である。すなわち、中下枠中空部１１ｂは、外レール１１３の下から内レール１１２の下の一部に至るように形成されている。
【００２５】
中下枠中空部１１ｂ内には、下枠補強材１３が、下枠１１の全長に渡り、中下枠中空部１１ｂの見込み方向におけるほぼ全幅に亘って設けられている。下枠補強材１３は、不燃性であるアルミニウム製の押し出し成形された中空部材であり、断面形状は中下枠中空部１１ｂの内周面に沿うようなほぼ矩形状をなしている。
【００２６】
下枠補強材１３の上面における室外側の部位には、下方に窪み上方が開放された上凹部１３ａが設けられており、下枠補強材１３において、中下枠中空部１１ｂの室外側の部位１１ｄと対向する部位には、室内側に窪み室外側に向かって開放された側凹部１３ｂとが設けられている。上凹部１３ａの開放された上端部は、見込み方向の幅が上凹部１３ａの下端側より狭く、下枠補強材１３の長手方向に沿うスリット状をなしている。側凹部１３ｂの開放された室外側の端部は、上下方向の幅が側凹部１３ｂの室内側より狭く、下枠補強材１３の長手方向に沿うスリット状をなしている。
【００２７】
上凹部１３ａと側凹部１３ｂとには加熱発泡材としての熱膨張性黒鉛１４が、下枠補強材１３のほぼ全長に亘って挿入されている。熱膨張性黒鉛１４は、その幅が、上凹部１３ａまたは側凹部１３ｂの幅より僅かに狭く、かつ、スリット状に開放された部位の幅より広く形成されることにより、上凹部１３ａと側凹部１３ｂとにそれぞれ、下枠１１の端部側から長手方向に沿って挿入されるだけで下枠補強材１３に保持され、加熱された際には、開放された上方または室外側に発泡するように構成されている。
枠体１０は、躯体２に固定され、下枠１１に設けられた下枠補強材１３の下に位置して下枠１１が下方から鉄製のブラケット１５に支持されている。
【００２８】
下枠１１の内レール１１２と外レール１１３との間には、図１に示す、内障子３および外障子４を閉じた状態にて対向する、内障子３の召合せ框３１と外障子４の召合せ框４１との間に位置する召し合せ部の下方に、図４に示すように、内障子３と外障子４との下の空間を気密に閉塞すべく合成樹脂製の風止部材１６が設けられている。すなわち、内レール１１２と外レール１１３との間の空間は、風止部材１６により、内障子３および外障子４を閉じたときに内障子３の室外側に位置する内障子側空間１１ｅと、外障子４の室内側に位置する外障子側空間１１ｆとに分けられている。また、風止部材１６と下枠１１との間には熱膨張性黒鉛１４が設けられている。
【００２９】
内障子側空間１１ｅと外障子側空間１１ｆとには、内レール１１２および外レール１１３に沿う方向において風止部材１６を挟んでその両側にそれぞれ下枠突部間補強材としてのレール間補強材１７が設けられている。レール間補強材１７は、不燃性であるアルミニウム製の押し出し成形された中空部材であり、同一の型にて押し出し成形された基材が、内障子側空間１１ｅと外障子側空間１１ｆの長さ合わせて切断されて形成されている。このため、各レール間補強材１７は、内障子３および外障子４のストッパー１８の下にも配置され、内障子側空間１１ｅおよび外障子側空間１１ｆの全長に亘って設けられている。
【００３０】
レール間補強材１７は、図５に示すように、下枠１１の下枠平面部１１１上に載置される下板部１７１と、下板部１７１の室内側の端部から上方に設けられ内レール１１２と対向する下枠突部対向壁としての内レール対向壁１７２と、下板部１７１の室外側の端部から上方に設けられ外レール１１３と対向する下枠突部対向壁としての外レール対向壁１７３と、内レール対向壁１７２の上端と外レール対向壁１７３の上端側とを室外側に向かって低くなるように繋ぐ上板部１７４とを有している。すなわち、レール間補強材１７は、内レール１１２と対向する内レール対向壁１７２と、外レール１１３と対向する外レール対向壁１７３と、の２つの下枠突部対向壁を備えている。
【００３１】
下板部１７１には、レール間補強材１７の剛性を高めるため、室内側および室外側の部位が、見込み方向における中央部１７１ａより僅かに高くなるような段差１７１ｂが設けられている。下板部１７１は、下枠平面部１１１に当接される中央部１７１ａにて中下枠中空部１１ｂ内の下枠補強材１３とビスまたはリベットにより連結されている。
【００３２】
内レール対向壁１７２は対向する内レール１１２と、また、外レール対向壁１７３は対向する外レール１１３と各々間隔を隔てて配置されており、内レール対向壁１７２と外レール対向壁１７３の上下端からは、各々が対向するレール１１２、１１３側に向かって突出する突出部１７２ａ、１７３ａが設けられている。
【００３３】
内レール対向壁１７２の上下端に設けられた突出部１７２ａの先端には、上下方向において互いに対向する側に突出する対向片１７２ｂが設けられ、外レール対向壁１７３の上下端に設けられた突出部１７３ａの先端には、上下方向において互いに対向する側に突出する対向片１７３ｂが設けられている。すなわち、内レール対向壁１７２と上下の突出部１７２ａとによりレール間補強材１７の室内側の部位に室外側に窪み室内側に向かって開放された室内側凹部１７２ｃが設けられ、外レール対向壁１７３と上下の突出部１７３ａとによりレール間補強材１７の室外側の部位に室内側に窪み室外側に向かって開放された室外側凹部１７３ｃが設けられている。
【００３４】
室内側凹部１７２ｃの開放された室内側の部位は、上下幅が室内側凹部１７２ｃの室外側の部位より狭く、レール間補強材１７の長手方向に沿うスリット状をなしている。室外側凹部１７３ｃの開放された室外側の部位は、上下幅が室外側凹部１７３ｃの室内側の部位より狭く、レール間補強材１７の長手方向に沿うスリット状をなしている。
【００３５】
内レール対向壁１７２の上端に設けられた突出部１７２ａと外レール対向壁１７３の上下端に設けられた突出部１７３ａとには、対向片１７２ｂ、１７３ｂと反対方向すなわち上方に突出する上突片１７２ｄ、１７３ｄが設けられている。各々の上突片１７２ｄ、１７３ｄは、内障子３および外障子４がレール１１２、１１３に支持された状態で、内障子３および外障子４の下框３２、４２に設けられレール１１２、１１３が挿入されるレール挿入部３２ａ、４２ａの下、より具体的には、下框３２、４２のレール挿入部３２ａ、４２ａを形成する部位３２ｂ、４２ｂと各レール１１２、１１３との間の空間の下に位置するように構成されている。
【００３６】
上板部１７４は、内レール対向壁１７２の上端に設けられた突出部１７２ａと繋がり、内障子３および外障子４がレール１１２、１１３に支持された状態で、内障子３および外障子４の下端と上下方向に間隔を隔てるとともに、室外側に向かって高さが低くなる傾斜を有する上面を形成している。このため、上板部１７４は、外レール対向壁１７３の上端とは繋がっておらず、外レール対向壁１７３の上端より低い位置にて外レール対向壁１７３と繋がっている。このため、外レール対向壁１７３は、上板部１７４の室外側の端より上に突出している。
【００３７】
内障子側空間１１ｅに設けられるレール間補強材１７と外障子側空間１１ｆに設けられるレール間補強材１７とには、内障子３および外障子４が開口１０ａを閉塞した状態で、いずれも対向するレール１１２、１１３において、障子３、４の下に位置する部位と対向する室内側凹部１７２ｃおよび室外側凹部１７３ｃに加熱発泡材としての熱膨張性黒鉛１４が挿入されている。より具体的には、内障子側空間１１ｅに設けられるレール間補強材１７には、室内側凹部１７２ｃの全長に渡る部位に熱膨張性黒鉛１４が挿入され、外障子側空間１１ｆに設けられるレール間補強材１７には、室外側凹部１７３ｃの全長に渡る部位に熱膨張性黒鉛１４が挿入されている。
【００３８】
各レール間補強材１７に設けられる熱膨張性黒鉛１４は、その幅が、室内側凹部１７２ｃまたは室外側凹部１７３ｃの上下方向の幅より僅かに狭く、かつ、スリット状に開放された部位の幅より広く形成されている。このため、室内側凹部１７２ｃと室外側凹部１７３ｃとにそれぞれ熱膨張性黒鉛１４を挿入するだけでレール間補強材１７に熱膨張性黒鉛１４を備えることが可能であり、加熱された際には、開放された室内側または室外側に発泡するように構成されている。
【００３９】
本実施形態の建具１によれば、見込み方向に隣り合う内レール１１２と外レール１１３との間に、内レール１１２および外レール１１３に沿ってアルミニウム製のレール間補強材１７が設けられているので、レール１１２、１１３内に補強材が設けられていなくとも、火炎に晒された際に内レール１１２および外レール１１３の溶融を抑制することが可能である。特に、レール間補強材１７は、２つのレール１１２、１１３の各々と対向する内レール対向壁１７２および外レール対向壁１７３を備えているので、見込み方向において下枠１１のいずれの側から火炎に晒されたとしても、２つのレール対向壁１７２、１７３により、火炎と反対側のレール１１２、１１３が火炎に晒されることを防止することが可能である。
【００４０】
また、レール間補強材１７は、内レール１１２と外レール１１３との間に設けられているので、補強材をレール１１２、１１３内に設けるような煩雑な作業をすることなく、下枠１１の上方から内レール１１２と外レール１１３との間に載置するだけで備えることが可能である。このため、火炎に晒されても内レール１１２および外レール１１３が溶融しにくく製造性に優れた枠体１０を有する建具１を提供することが可能である。
【００４１】
また、レール間補強材１７は、軽量且つ加工性優れたアルミニウム製なので、軽量で製造性に優れたレール間補強材１７を備えることが可能である。また、アルミニウムは鉄などと比較して溶融しやすいが、内レール対向壁１７２および外レール対向壁１７３との間に熱膨張性黒鉛１４が設けられているので、加熱された際に熱膨張性黒鉛１４が発泡することにより、内レール１１２、外レール１１３およびレール間補強材１７の溶融を抑制することが可能である。
【００４２】
また、内レール１１２と内レール対向壁１７２との間および外レール１１３と外レール対向壁１７３との間であって、内レール１１２および外レール１１３において各々障子３、４の下に位置する部位と対向する位置に熱膨張性黒鉛１４が設けられているので、内レール１１２および外レール１１３の全長に亘って熱膨張性黒鉛１４を設ける場合より、熱膨張性黒鉛１４の量を少なくすることが可能である。そして、加熱された際には少なくとも障子３、４と内レール１１２および外レール１１３との間にて熱膨張性黒鉛１４が発泡して、内レール１１２および外レール１１３およびレール間補強材１７の溶融を抑制する。このため、効率よく熱膨張性黒鉛１４を使用して内レール１１２および外レール１１３およびレール間補強材１７の溶融を抑制することが可能である。
【００４３】
また、レール間補強材１７は、内レール１１２および外レール１１３に沿う方向において風止部材１６を挟んでその両側にそれぞれ設けられているので、見込み方向に隣り合う内障子３および外障子４が対向する召し合せ部の下方における気密性を確保しつつ、内レール１１２および外レール１１３の溶融を抑制することが可能である。また、合成樹脂製の風止部材１６と下枠１１との間には熱膨張性黒鉛１４が設けられているので、たとえ風止部材１６が溶融したとしても、熱膨張性黒鉛１４が膨張することにより室内外が貫通されてしまうことを防止することが可能である。
【００４４】
また、レール間補強材１７が有する、内レール対向壁１７２の上端と外レール対向壁１７３の上端側とを繋ぐ上板部１７４は、内障子３が内レール１１２に、外障子４が外レール１１３に支持された状態で内障子３および外障子４の下方に設けられているので、例えば、レール１１２、１１３が溶融するなどして内障子３および外障子４が降下した際には、内障子３および外障子４がレール間補強材１７の上板部１７４上に載置され、内障子３および外障子４の更なる降下が規制される。このため、内障子３および外障子４が上板部１７４上に載置された後には、内障子３および外障子４の更なる降下を防止することが可能である。
【００４５】
また、内障子３および外障子４がレール間補強材１７上に載置された際には、レール間補強材１７の上突片１７２ｄ、１７３ｄがレール挿入部３２ａ、４２ａに挿入されるので、内障子３および外障子４の見込み方向における移動をも防止することが可能である。また、レール間補強材１７の上板部１７４は、内障子３および外障子４が内レール１１２および外レール１１３に支持された状態で、内障子３および外障子４の下方に間隔を隔てて設けられているので、内レール１１２および外レール１１３に支持された状態では内障子３および外障子４はレール間補強材１７の上板部１７４と干渉することなく、滑らかに移動することが可能である。
【００４６】
また、内レール１１２および外レール１１３より下に、長手方向に沿って設けられた中下枠中空部１１ｂ内に、難燃性または不燃性の下枠補強材１３が設けられており、レール間補強材１７が下枠補強材１３と連結されているので、たとえ下枠１１が溶融されたとしてもレール間補強材１７は下枠補強材１３に支持されるのでレール間補強材１７は脱落することなく内障子３と外障子４との間に維持される。このため、火炎に晒された際に内レール１１２および外レール１１３がより、溶融しにくい建具１を提供することが可能である。
【００４７】
上記実施形態においては、レール間補強材１７において内レール１１２および外レール１１３の上に内障子３および外障子４が位置する部位と対向する位置に熱膨張性黒鉛１４を設けた例について説明したが、これに限らず、図６に示すように、レール間補強材１７の内レール１１２および外レール１１３と対向する部位の全域に熱膨張性黒鉛１４を設けても構わない。
【００４８】
上記実施形態においては、レール間補強材１７、下枠補強材１３、を不燃性のアルミニウム製としたが、鉄、ステンレス等の不燃性の金属等は、もちろんのこと、難燃性の材料で構成しても構わない。
【００４９】
上記実施形態においては、枠体１０が上下にそれぞれ２本のレールを有し、内障子３と外障子４とを備えた建具１を例に挙げて説明したが、レールの数または障子の数は、これに限るものではない。３本以上のレール及び３枚以上の障子を備えている場合には、見込み方向に隣接する２本のレール間にレール間補強材が設けられる。また、内障子または外障子のいずれか一方が、本来障子が案内されるレールに支持された状態で枠体に固定されてＦＩＸ窓や袖壁を成すように構成された片引き窓用の建具であっても構わない。
【００５０】
上記実施形態においては、下枠１１に設けられて上方に突出し、長手方向に沿って連なって、内障子３および外障子４が案内されるレール１１２、１１３間に下枠突部間補強材としてのレール間補強材１７が設けられている例について説明したが、下枠突部間補強材が設けられる位置は必ずしも２本のレール間でなくとも構わない。例えば、図７、図８に示すように、室外側に複層ガラス５が框３０に囲まれたＦＩＸ窓６が、枠体１０が形成する開口１０ａの一部を閉塞し、開口１０ａのＦＩＸ窓６にて閉塞されない部分を開閉自在に移動する内障子３が室内側に設けられた片引き窓用の建具１であっても構わない。
【００５１】
このＦＩＸ窓６は、複層ガラス５を囲む框３０の下框６０が有する下框中空部６０ａに設けられた鉄製の保持金具２０が、枠体１０の下枠中空部１１ａに設けられ下枠１１の全長に亘って設けられた下枠補強材１３にビス止めされて固定されている。このとき、保持金具２０は、下框６０の全長に亘って設けられていなくとも良い。以下に、本発明の他の実施形態として片引き窓用の建具１について説明するが、上記実施形態と同一構成については図中で同符号を付して示し、その説明については省略する。
【００５２】
片引き窓用の建具１の場合には、内障子３を案内する内レール１１２と、下枠１１の下枠平面部１１１から上方に突出し内レール１１２と見込み方向に並べて設けられ、内障子３が移動する領域とＦＩＸ窓６が設けられる領域とを室内外方向において仕切る上方突枠部１１４との間に下枠突部間補強材１９が設けられている。下枠突部間補強材１９は、中下枠中空部１１ｂ内の下枠補強材１３とビスまたはリベットにより連結されている。
【００５３】
片引き窓用の建具１に設けられる下枠突部間補強材１９は、不燃性であるアルミニウム製の押し出し成形された中空部材である。片引き窓用の建具１においては、内障子３が開口１０ａを閉塞した状態で、内障子３の戸尻側の部位の下に風止部材１６が設けられており、下枠突部間補強材１９は、内レール１１２に沿う方向において風止部材１６を挟んでその両側にそれぞれ設けられている。ここで、下枠突部間補強材１９は、ＦＩＸ窓６側には必ずしも設けられていなくとも構わない。
【００５４】
下枠突部間補強材１９は、下枠１１の下枠平面部１１１上に載置される下板部１９１と、下板部１９１の室内側の端部から上方に設けられ内レール１１２と対向する下枠突部対向壁としての内レール対向壁１９２と、下板部１９１の室外側の端部から上方に設けられ上方突枠部１１４と対向する下枠突部対向壁１９３と、内レール対向壁１９２の上端と下枠突部対向壁１９３の上端とを繋ぐ上板部１９４とを有している。
【００５５】
内レール対向壁１９２は対向する内レール１１２と、また、下枠突部対向壁１９３は対向する上方突枠部１１４と各々間隔を隔てて配置されており、内レール対向壁１９２と下枠突部対向壁１９３の上下端からは、各々が対向するレール１１２または上方突枠部１１４側に向かって突出する突出部１９２ａ、１９３ａが設けられている。
【００５６】
内レール対向壁１９２の上下端に設けられた突出部１９２ａの先端には、上下方向において互いに対向する側に突出する対向片１９２ｂが設けられ、下枠突部対向壁１９３の上下端に設けられた突出部１９３ａの先端には、上下方向において互いに対向する側に突出する対向片１９３ｂが設けられている。すなわち、内レール対向壁１９２と上下の突出部１９２ａとにより下枠突部間補強材１９の室内側の部位に室外側に窪み室内側に向かって開放された室内側凹部１９２ｃが設けられ、下枠突部対向壁１９３と上下の突出部１９３ａとにより下枠突部間補強材１９の室外側の部位に室内側に窪み室外側に向かって開放された室外側凹部１９３ｃが設けられている。
【００５７】
内障子３の下に設けられる下枠突部間補強材１９の内レール１１２と対向する室内側凹部１９２ｃには全長に亘る部位に熱膨張性黒鉛１４が挿入されており、ＦＩＸ窓６と対向する位置に設けられる下枠突部間補強材１９の上方突枠部１１４と対向する室外側凹部１９３ｃには全長に亘る部位に熱膨張性黒鉛１４が挿入されている。
【００５８】
このような片引き窓用の建具１の場合には、下枠突部間補強材１９は、内レール１１２および上方突枠部１１４の各々と対向する内レール対向壁１９２および下枠突部対向壁１９３を備えているので、見込み方向において下枠１１のいずれの側から火炎に晒されたとしても、内レール対向壁１９２および下枠突部対向壁１９３により、火炎と反対側に位置する内レール１１２および上方突枠部１１４が火炎に晒されることを防止することが可能である。
【００５９】
また、下枠突部間補強材１９は、内レール１１２と上方突枠部１１４との間に設けられているので、補強材をレール１１２内に設けるような煩雑な作業をすることなく、下枠１１の上方から内レール１１２と上方突枠部１１４との間に載置するだけで備えることが可能である。このため、火炎に晒されても内レール１１２および上方突枠部１１４が溶融しにくく製造性に優れた枠体１０を有する建具１を提供することが可能である。
【００６０】
上記実施形態においては、内障子３および外障子４を４本の框材が框組みされている障子を例に挙げて説明したが、これに限るものではない。例えば、パネル状の部材にて形成された障子であっても構わない。
【００６１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６２】
１  建具、 ３  内障子（障子）、４  外障子(障子)、１０  枠体、１０ａ  開口、
１１  下枠、１１ｂ  中下枠中空部、１３  下枠補強材、１４  熱膨張性黒鉛、
１６  風止部材、１７  レール間補強材、 １１２  内レール（レール）、
１１３  外レール（レール）、１１４  上方突枠部、１７２  内レール対向壁、
１７３  外レール対向壁、１７４  上板部、１９  下枠突部間補強材、
１９２  内レール対向壁、１９３  下枠突部対向壁、１９４  上板部
【図１】
0006342260.tif 000002
【図２】
0006342260.tif 000003
【図３】
0006342260.tif 000004
【図４】
0006342260.tif 000005
【図５】
0006342260.tif 000006
【図６】
0006342260.tif 000007
【図７】
0006342260.tif 000008
【図８】
0006342260.tif 000009